【手続補正書】
【提出日】平成21年4月20日(2009.4.20)
【手続補正１】
【補正対象書類名】特許請求の範囲
【補正対象項目名】全文
【補正方法】変更
【補正の内容】
【特許請求の範囲】
【請求項１】
固有番号ＩＤ及び残高情報を有する記録媒体に基づいて電子情報を配信する装置が、
前記記録媒体の固有番号ＩＤ、残高情報及び許諾利用権情報の登録を受け付ける登録部と、
前記登録部に登録された前記記録媒体の固有番号ＩＤと前記記録媒体から読み出した固有番号ＩＤとを比較する比較部と、
前記比較部による比較結果に基づいて前記電子情報を配信する配信部とを備え、
前記固有番号ＩＤの比較結果に基づいて許諾利用権情報が確認できる場合は、
前記配信部は情報処理装置に前記電子情報を配信し、
前記固有番号ＩＤの比較結果に基づいて許諾利用権情報が確認できない場合は、
前記配信部は情報処理装置に課金処理を促す電子情報を配信する情報配信装置。
【請求項２】
前記比較部が比較する時期を制御する比較時期制御部を備え、
前記比較時期制御部は、
前記電子情報の配信開始時及び配信された前記電子情報の視聴方法の変更時に、前記記録媒体の固有番号ＩＤを比較する請求項１に記載の情報配信装置。
【請求項３】
前記電子情報の視聴方法の変更とは、
当該電子情報の受信の中断、終了、早送り、巻き戻し、及び、特定時間単位毎のいずれかである請求項１に記載の情報配信装置。
【請求項４】
固有番号ＩＤ及び残高情報を有する記録媒体に基づいて電子情報を処理する装置が、
前記記録媒体の固有番号ＩＤ、残高情報及び許諾利用権情報を情報配信装置に登録する登録部と、
前記記録媒体から固有番号ＩＤ及び残高情報を読み出す情報読取部と、
前記情報配信装置に登録された前記記録媒体の固有番号ＩＤと前記記録媒体から読み出した固有番号ＩＤとを比較する比較部と、
前記比較部の出力結果に基づいて前記情報配信装置から電子情報を受信する受信部と、
前記残高情報と電子情報の課金額とを比較する比較する残高比較部と、
前記残高比較部が比較した結果と、前記受信部が受信した電子情報とを表示する表示部とを備え、
前記固有番号ＩＤの比較結果に基づいて許諾利用権情報が確認できる場合は、
前記表示部が情報配信装置から受信した前記電子情報を表示し、
前記固有番号ＩＤの比較結果に基づいて許諾利用権情報が確認できない場合は、
前記残高比較部が前記残高情報と電子情報の課金額とを比較し、
前記残高情報が電子情報の課金額以上である場合は、
前記情報配信装置から受信した課金処理を促す電子情報を表示し、
前記残高情報が電子情報の課金額未満である場合は、
別の電子情報の選択を促す電子情報を表示する情報処理装置。
【請求項５】
前記比較部が比較する時期を制御する比較時期制御部を備え、
前記比較時期制御部は、
前記電子情報の配信開始時及び配信された前記電子情報の視聴方法の変更時に、前記記録媒体の固有番号ＩＤを比較する請求項４に記載の情報処理装置。
【請求項６】
前記電子情報の視聴方法の変更とは、
当該電子情報の受信の中断、終了、早送り、巻き戻し、及び、特定時間単位毎のいずれかである請求項４に記載の情報処理装置。
【請求項７】
固有番号ＩＤ及び残高情報を有する記録媒体に基づいて電子情報を配信する情報配信装置と、前記記録媒体に基づいて電子情報を処理する情報処理装置とを備え、
前記情報配信装置が、
前記記録媒体の固有番号ＩＤ、残高情報及び許諾利用権情報の登録を受け付ける登録部と、
前記登録部に登録された前記記録媒体の固有番号ＩＤと前記記録媒体から読み出した固有番号ＩＤとを比較する比較部と、
前記比較部による比較結果に基づいて前記電子情報を配信する配信部とを有し、
前記固有番号ＩＤの比較結果に基づいて許諾利用権情報が確認できる場合は、
前記配信部は情報処理装置に前記電子情報を配信し、
前記固有番号ＩＤの比較結果に基づいて許諾利用権情報が確認できない場合は、
前記配信部は情報処理装置に課金処理を促す電子情報を配信し、
前記情報処理装置が、
前記記録媒体の固有番号ＩＤ、残高情報及び許諾利用権情報を前記情報配信装置に登録する登録部と、
前記記録媒体から固有番号ＩＤ及び残高情報を読み出す情報読取部と、
前記情報配信装置に登録された前記記録媒体の固有番号ＩＤと前記記録媒体から読み出した固有番号ＩＤとを比較する比較部と、
前記比較部による比較結果に基づいて前記情報配信装置から電子情報を受信する受信部と、
前記残高情報と電子情報の課金額とを比較する比較する残高比較部と、
前記残高比較部が比較した結果と、前記受信部が受信した電子情報とを表示する表示部とを有し、
前記固有番号ＩＤの比較結果に基づいて許諾利用権情報が確認できる場合は、
前記表示部が情報配信装置から受信した前記電子情報を表示し、
前記固有番号ＩＤの比較結果に基づいて許諾利用権情報が確認できない場合は、
前記残高比較部が前記残高情報と電子情報の課金額とを比較し、
前記残高情報が電子情報の課金額以上である場合は、
前記情報配信装置から受信した課金処理を促す電子情報を表示し、
前記残高情報が電子情報の課金額未満である場合は、
別の電子情報の選択を促す電子情報を表示する情報処理システム。
【請求項８】
固有番号ＩＤ及び残高情報を有する記録媒体に基づいて電子情報を配信する情報配信装置で使用可能なプログラムが、
前記記録媒体の固有番号ＩＤ、残高情報及び許諾利用権情報の登録を受け付けるステップと、
登録された前記記録媒体の固有番号ＩＤと前記記録媒体から読み出した固有番号ＩＤとを比較するステップと、
比較結果に基づいて前記電子情報を配信するステップとを有し、
前記固有番号ＩＤの比較結果に基づいて許諾利用権情報が確認できる場合は、
前記情報処理装置に前記電子情報を配信するステップと、
前記固有番号ＩＤの比較結果に基づいて許諾利用権情報が確認できない場合は、
前記情報処理装置に課金処理を促す電子情報を配信するステップとを含むコンピュータが読み取り可能なプログラム。
【請求項９】
固有番号ＩＤ及び残高情報を有する記録媒体に基づいて電子情報を処理する情報処理装置で使用可能なプログラムが、
前記記録媒体の固有番号ＩＤ、残高情報及び許諾利用権情報を情報配信装置に登録するステップと、
前記記録媒体から固有番号ＩＤ及び残高情報を読み出すステップと、
登録された前記記録媒体の固有番号ＩＤと前記記録媒体から読み出した固有番号ＩＤとを比較するステップと、
比較結果に基づいて前記情報配信装置から電子情報を受信するステップと、
前記残高情報と電子情報の課金額とを比較する比較するステップと、
前記残高情報の比較結果と、受信した前記電子情報とを表示するステップとを有し、
前記固有番号ＩＤの比較結果に基づいて許諾利用権情報が確認できる場合は、
前記情報配信装置から受信した前記電子情報を表示するステップと、
前記固有番号ＩＤの比較結果に基づいて許諾利用権情報が確認できない場合は、
前記残高情報と電子情報の課金額とを比較するステップと、
前記残高情報が電子情報の課金額以上である場合は、
前記情報配信装置から受信した課金処理を促す電子情報を表示するステップと、
前記残高情報が電子情報の課金額未満である場合は、
別の電子情報の選択を促す電子情報を表示するステップとを含むコンピュータが読み取り可能なプログラム。
【手続補正２】
【補正対象書類名】明細書
【補正対象項目名】発明の名称
【補正方法】変更
【補正の内容】
【発明の名称】情報配信装置、情報処理装置、情報処理システム及びコンピュータが読み取り可能なプログラム
【手続補正３】
【補正対象書類名】明細書
【補正対象項目名】０００１
【補正方法】変更
【補正の内容】
【０００１】
本発明は、ディジタルコンテンツの課金システム、その権利引継方法、その購入制御端末装置及び認証課金サーバに適用して好適な情報配信装置、情報処理装置、情報処理システム及びコンピュータが読み取り可能なプログラムに関する。
【手続補正４】
【補正対象書類名】明細書
【補正対象項目名】０００２
【補正方法】変更
【補正の内容】
【０００２】
詳しくは、情報配信装置に固有番号ＩＤが登録された記録媒体の入力操作に基づいて電子情報を配信するようにして、料金の決済用の記録媒体を料金決済用のみならず登録済み許諾利用権付きの記録媒体として流通できるようにすると共に、未登録の記録媒体はそのまま課金対象の譲渡又は貸し渡しに対して課せられる料金の決済用の記録媒体として流通できるようにしたものである。
【手続補正５】
【補正対象書類名】明細書
【補正対象項目名】００１１
【補正方法】変更
【補正の内容】
【００１１】
そこで、この発明はこのような従来の課題を解決したものであって、料金の決済用の記録媒体を決済用のみならず登録済み許諾利用権付きの記録媒体として流通できるようにすると共に、未登録の記録媒体はそのまま課金対象の譲渡又は貸し渡しに対して課せられる料金の決済用の記録媒体として流通できるようにした情報配信装置、情報処理装置、情報処理システム及びコンピュータが読み取り可能なプログラムを提供することを目的とする。
【手続補正６】
【補正対象書類名】明細書
【補正対象項目名】００１２
【補正方法】変更
【補正の内容】
【００１２】
上述した課題は、固有番号ＩＤ及び残高情報を有する記録媒体に基づいて電子情報を配信する装置が、前記記録媒体の固有番号ＩＤ、残高情報及び許諾利用権情報の登録を受け付ける登録部と、前記登録部に登録された前記記録媒体の固有番号ＩＤと前記記録媒体から読み出した固有番号ＩＤとを比較する比較部と、前記比較部による比較結果に基づいて前記電子情報を配信する配信部とを備え、前記固有番号ＩＤの比較結果に基づいて許諾利用権情報が確認できる場合は、前記配信部は情報処理装置に前記電子情報を配信し、前記固有番号ＩＤの比較結果に基づいて許諾利用権情報が確認できない場合は、前記配信部は情報処理装置に課金処理を促す電子情報を配信する情報配信装置によって解決される。
【手続補正７】
【補正対象書類名】明細書
【補正対象項目名】００１３
【補正方法】変更
【補正の内容】
【００１３】
本発明に係る情報配信装置によれば、固有番号ＩＤ及び残高情報を有する記録媒体に基づいて電子情報を配信する場合に、登録部は、記録媒体の固有番号ＩＤ、残高情報及び許諾利用権情報の登録を受け付ける。比較部は、登録部に登録された記録媒体の固有番号ＩＤと記録媒体から読み出した固有番号ＩＤとを比較する。配信部は、比較部による比較結果に基づいて電子情報を配信する。これを前提にして、固有番号ＩＤの比較結果に基づいて許諾利用権情報が確認できる場合は、配信部は情報処理装置に電子情報を配信する。固有番号ＩＤの比較結果に基づいて許諾利用権情報が確認できない場合は、配信部が情報処理装置に課金処理を促す電子情報を配信するようになる。
【手続補正８】
【補正対象書類名】明細書
【補正対象項目名】００１４
【補正方法】変更
【補正の内容】
【００１４】
従って、料金の決済用の記録媒体を料金決済用のみならず登録済み許諾利用権付きの記録媒体として流通させることができ、登録済みの記録媒体に対応して電子情報を配信できるようになる。
【手続補正９】
【補正対象書類名】明細書
【補正対象項目名】００１５
【補正方法】変更
【補正の内容】
【００１５】
本発明に係る情報処理装置は、固有番号ＩＤ及び残高情報を有する記録媒体に基づいて電子情報を処理する装置が、記録媒体の固有番号ＩＤ、残高情報及び許諾利用権情報を情報配信装置に登録する登録部と、記録媒体から固有番号ＩＤ及び残高情報を読み出す情報読取部と、情報配信装置に登録された記録媒体の固有番号ＩＤと記録媒体から読み出した固有番号ＩＤとを比較する比較部と、この比較部による比較結果に基づいて情報配信装置から電子情報を受信する受信部と、残高情報と電子情報の課金額とを比較する比較する残高比較部と、残高比較部が比較した結果と、受信部が受信した電子情報とを表示する表示部とを備え、固有番号ＩＤの比較結果に基づいて許諾利用権情報が確認できる場合は、表示部が情報配信装置から受信した電子情報を表示し、固有番号ＩＤの比較結果に基づいて許諾利用権情報が確認できない場合は、残高比較部が残高情報と電子情報の課金額とを比較し、固有番号ＩＤの比較結果に基づいて許諾利用権情報が確認できない場合は、残高比較部が残高情報と電子情報の課金額とを比較し、残高情報が電子情報の課金額以上である場合は、情報配信装置から受信した課金処理を促す電子情報を表示し、残高情報が電子情報の課金額未満である場合は、別の電子情報の選択を促す電子情報を表示するものである。
【手続補正１０】
【補正対象書類名】明細書
【補正対象項目名】００１６
【補正方法】変更
【補正の内容】
【００１６】
本発明に係る情報処理装置によれば、固有番号ＩＤ及び残高情報を有する記録媒体に基づいて電子情報を処理する場合に、登録部は、記録媒体の固有番号ＩＤ、残高情報及び許諾利用権情報を情報配信装置に登録する。情報読取部は、記録媒体から固有番号ＩＤ及び残高情報を読み出す。比較部は、情報配信装置に登録された記録媒体の固有番号ＩＤと記録媒体から読み出した固有番号ＩＤとを比較する。これを前提にして、受信部が、比較部の比較結果に基づいて情報配信装置から電子情報を受信するようになる。
【手続補正１１】
【補正対象書類名】明細書
【補正対象項目名】００１７
【補正方法】変更
【補正の内容】
【００１７】
従って、料金の決済用の記録媒体を料金決済用のみならず登録済み許諾利用権付きの記録媒体として流通させることができ、登録済みの記録媒体に対応して電子情報を受信できるようになる。
【手続補正１２】
【補正対象書類名】明細書
【補正対象項目名】００１８
【補正方法】変更
【補正の内容】
【００１８】
本発明に係る情報処理システムは、固有番号ＩＤ及び残高情報を有する記録媒体に基づいて電子情報を配信する情報配信装置と、記録媒体に基づいて電子情報を処理する情報処理装置とを備え、情報配信装置が、記録媒体の固有番号ＩＤ、残高情報及び許諾利用権情報の登録を受け付ける登録部と、この登録部に登録された記録媒体の固有番号ＩＤと記録媒体から読み出した固有番号ＩＤとを比較する比較部と、この比較部による比較結果に基づいて電子情報を配信する配信部とを有し、固有番号ＩＤの比較結果に基づいて許諾利用権情報が確認できる場合は、配信部が情報処理装置に電子情報を配信し、固有番号ＩＤの比較結果に基づいて許諾利用権情報が確認できない場合は、配信部が情報処理装置に課金処理を促す電子情報を配信し、情報処理装置が、記録媒体の固有番号ＩＤ、残高情報及び許諾利用権情報を情報配信装置に登録する登録部と、記録媒体から固有番号ＩＤ及び残高情報を読み出す情報読取部と、情報配信装置に登録された記録媒体の固有番号ＩＤと記録媒体から読み出した固有番号ＩＤとを比較する比較部と、この比較部による比較結果に基づいて情報配信装置から電子情報を受信する受信部と、残高情報と電子情報の課金額とを比較する比較する残高比較部と、この残高比較部が比較した結果と、受信部が受信した電子情報とを表示する表示部とを有し、固有番号ＩＤの比較結果に基づいて許諾利用権情報が確認できる場合は、表示部が情報配信装置から受信した電子情報を表示し、固有番号ＩＤの比較結果に基づいて許諾利用権情報が確認できない場合は、残高比較部が残高情報と電子情報の課金額とを比較し、残高情報が電子情報の課金額以上である場合は、情報配信装置から受信した課金処理を促す電子情報を表示し、残高情報が電子情報の課金額未満である場合は、別の電子情報の選択を促す電子情報を表示するものである。
【手続補正１３】
【補正対象書類名】明細書
【補正対象項目名】００１９
【補正方法】変更
【補正の内容】
【００１９】
本発明に係る情報処理システムによれば、課金対象及び電子情報を処理する場合に、本発明に係る情報配信装置が備えられるので、情報配信装置に固有番号ＩＤが登録された記録媒体の入力操作に基づいて電子情報を配信するようになる。
【手続補正１４】
【補正対象書類名】明細書
【補正対象項目名】００２０
【補正方法】変更
【補正の内容】
【００２０】
従って、料金の決済用の記録媒体を料金決済用のみならず登録済み許諾利用権付きの記録媒体として流通させることができる。未登録の記録媒体はそのまま課金対象の譲渡又は貸し渡しに対して課せられる料金の決済用の記録媒体として流通させることができる。しかも、記録媒体と情報配信装置との間の通信において、記録媒体の固有番号ＩＤを用いるので、個人情報やパスワード情報等が不要となり、セキュリティ度を高めることができる。
【手続補正１５】
【補正対象書類名】明細書
【補正対象項目名】００２１
【補正方法】削除
【補正の内容】
【手続補正１６】
【補正対象書類名】明細書
【補正対象項目名】００２２
【補正方法】削除
【補正の内容】
【手続補正１７】
【補正対象書類名】明細書
【補正対象項目名】００２３
【補正方法】変更
【補正の内容】
【００２３】
本発明に係るコンピュータが読み取り可能な第１のプログラムは、固有番号ＩＤ及び残高情報を有する記録媒体に基づいて電子情報を配信する情報配信装置で使用可能なプログラムが、記録媒体の固有番号ＩＤ、残高情報及び許諾利用権情報の登録を受け付けるステップと、登録された記録媒体の固有番号ＩＤと記録媒体から読み出した固有番号ＩＤとを比較するステップと、比較結果に基づいて電子情報を配信するステップとを有し、固有番号ＩＤの比較結果に基づいて許諾利用権情報が確認できる場合は、情報処理装置に電子情報を配信するステップと、固有番号ＩＤの比較結果に基づいて許諾利用権情報が確認できない場合は、情報処理装置に課金処理を促す電子情報を配信するステップとを含むものである。
【手続補正１８】
【補正対象書類名】明細書
【補正対象項目名】００２４
【補正方法】変更
【補正の内容】
【００２４】
本発明に係る第１のプログラムによれば、料金の決済用の記録媒体を料金決済用のみならず登録済み許諾利用権付きの記録媒体として流通させることができ、登録済みの記録媒体に対応して電子情報を配信できるようになる。
【手続補正１９】
【補正対象書類名】明細書
【補正対象項目名】００２５
【補正方法】変更
【補正の内容】
【００２５】
本発明に係るコンピュータが読み取り可能な第２のプログラムは、固有番号ＩＤ及び残高情報を有する記録媒体に基づいて電子情報を処理する情報処理装置で使用可能なプログラムが、記録媒体の固有番号ＩＤ、残高情報及び許諾利用権情報を情報配信装置に登録するステップと、記録媒体から固有番号ＩＤ及び残高情報を読み出すステップと、登録された記録媒体の固有番号ＩＤと記録媒体から読み出した固有番号ＩＤとを比較するステップと、比較結果に基づいて情報配信装置から電子情報を受信するステップと、残高情報と電子情報の課金額とを比較する比較するステップと、残高情報の比較結果と、受信した電子情報とを表示するステップとを有し、固有番号ＩＤの比較結果に基づいて許諾利用権情報が確認できる場合は、情報配信装置から受信した電子情報を表示するステップと、固有番号ＩＤの比較結果に基づいて許諾利用権情報が確認できない場合は、残高情報と電子情報の課金額とを比較するステップと、残高情報が電子情報の課金額以上である場合は、情報配信装置から受信した課金処理を促す電子情報を表示するステップと、残高情報が電子情報の課金額未満である場合は、別の電子情報の選択を促す電子情報を表示するステップとを含むものである。
【手続補正２０】
【補正対象書類名】明細書
【補正対象項目名】００２６
【補正方法】変更
【補正の内容】
【００２６】
本発明に係る第２のプログラムによれば、料金の決済用の記録媒体を料金決済用のみならず登録済み許諾利用権付きの記録媒体として流通させることができ、登録済みの記録媒体に対応して電子情報を受信できるようになる。
【手続補正２１】
【補正対象書類名】明細書
【補正対象項目名】００２７
【補正方法】変更
【補正の内容】
【００２７】
本発明に係る情報配信装置によれば、登録された記録媒体の固有番号ＩＤと記録媒体から読み出した固有番号ＩＤとを比較した結果に基づいて電子情報を配信する配信部を備え、固有番号ＩＤの比較結果に基づいて許諾利用権情報が確認できる場合は、配信部が情報処理装置に電子情報を配信し、固有番号ＩＤの比較結果に基づいて許諾利用権情報が確認できない場合は、配信部が情報処理装置に課金処理を促す電子情報を配信するようになされる。
【手続補正２２】
【補正対象書類名】明細書
【補正対象項目名】００２８
【補正方法】変更
【補正の内容】
【００２８】
この構成によって、料金の決済用の記録媒体を料金決済用のみならず登録済み許諾利用権付きの記録媒体として流通させることができ、登録済みの記録媒体に対応して電子情報を配信できるようになる。しかも、記録媒体と当該情報配信装置との間の通信において、記録媒体の固有番号ＩＤを用いるので、個人情報やパスワード情報等が不要となり、セキュリティ度を高めることができる。
【手続補正２３】
【補正対象書類名】明細書
【補正対象項目名】００２９
【補正方法】変更
【補正の内容】
【００２９】
本発明に係る情報処理装置によれば、情報配信装置に登録された記録媒体の固有番号ＩＤと記録媒体から読み出した固有番号ＩＤとを比較した結果に基づいて電子情報を配信する配信部を備え、固有番号ＩＤの比較結果に基づいて許諾利用権情報が確認できる場合は、配信部が情報処理装置に電子情報を配信し、固有番号ＩＤの比較結果に基づいて許諾利用権情報が確認できない場合は、配信部が情報処理装置に課金処理を促す電子情報を配信するようになされる。
【手続補正２４】
【補正対象書類名】明細書
【補正対象項目名】００３０
【補正方法】変更
【補正の内容】
【００３０】
この構成によって、料金の決済用の記録媒体を料金決済用のみならず登録済み許諾利用権付きの記録媒体として流通させることができ、登録済みの記録媒体に対応して電子情報を受信できるようになる。
【手続補正２５】
【補正対象書類名】明細書
【補正対象項目名】００３１
【補正方法】変更
【補正の内容】
【００３１】
本発明に係る情報処理システムによれば、課金対象及び電子情報を処理する場合に、本発明に係る情報配信装置を備えられ、情報配信装置に固有番号ＩＤが登録された記録媒体の入力操作に基づいて電子情報を配信するようになされる。
【手続補正２６】
【補正対象書類名】明細書
【補正対象項目名】００３２
【補正方法】変更
【補正の内容】
【００３２】
この構成によって、料金の決済用の記録媒体を料金決済用のみならず登録済み許諾利用権付きの記録媒体として流通させることができる。未登録の記録媒体はそのまま課金対象の譲渡又は貸し渡しに対して課せられる料金の決済用の記録媒体として流通させることができる。しかも、記録媒体と情報配信装置との間の通信において、記録媒体の固有番号ＩＤを用いるので、個人情報やパスワード情報等が不要となり、セキュリティ度を高めることができる。
【手続補正２７】
【補正対象書類名】明細書
【補正対象項目名】００３３
【補正方法】削除
【補正の内容】
【手続補正２８】
【補正対象書類名】明細書
【補正対象項目名】００３５
【補正方法】変更
【補正の内容】
【００３５】
本発明に係る第１のプログラムによれば、登録された記録媒体の固有番号ＩＤと記録媒体から読み出した固有番号ＩＤとを比較した結果に基づいて電子情報を配信するステップを有し、固有番号ＩＤの比較結果に基づいて許諾利用権情報が確認できる場合は、情報処理装置に電子情報を配信し、固有番号ＩＤの比較結果に基づいて許諾利用権情報が確認できない場合は、情報処理装置に課金処理を促す電子情報を配信するステップを含むものである。
【手続補正２９】
【補正対象書類名】明細書
【補正対象項目名】００３６
【補正方法】変更
【補正の内容】
【００３６】
この構成によって、料金の決済用の記録媒体を料金決済用のみならず登録済み許諾利用権付きの記録媒体として流通させることができ、登録済みの記録媒体に対応して電子情報を配信できるようになる。
【手続補正３０】
【補正対象書類名】明細書
【補正対象項目名】００３７
【補正方法】変更
【補正の内容】
【００３７】
本発明に係る第２のプログラムによれば、情報配信装置に登録された記録媒体の固有番号ＩＤと記録媒体から読み出した固有番号ＩＤとを比較した結果に基づいて情報配信装置から電子情報を受信するステップを有し、固有番号ＩＤの比較結果に基づいて許諾利用権情報が確認できる場合は、情報処理装置に電子情報を配信し、固有番号ＩＤの比較結果に基づいて許諾利用権情報が確認できない場合は、情報処理装置に課金処理を促す電子情報を配信するステップを含むものである。
【手続補正３１】
【補正対象書類名】明細書
【補正対象項目名】００３８
【補正方法】変更
【補正の内容】
【００３８】
この構成によって、料金の決済用の記録媒体を料金決済用のみならず登録済み許諾利用権付きの記録媒体として流通させることができ、登録済みの記録媒体に対応して電子情報を受信できるようになる。
【手続補正３２】
【補正対象書類名】明細書
【補正対象項目名】００３９
【補正方法】変更
【補正の内容】
【００３９】
続いて、この発明に係る情報配信装置、情報処理装置、情報処理システム及びコンピュータが読み取り可能なプログラムの一実施の形態について、図面を参照しながら説明をする。